(57)【特許請求の範囲】
【請求項１】
マルチメディアコンテンツを記憶する記憶手段と、前記マルチメディアコンテンツを再生する再生アプリケーションとを備えた携帯電話機であって、
前記記憶手段は、
前記マルチメディアコンテンツが保存される再生ファイル格納領域と、
前記再生ファイル格納領域に保存されたマルチメディアコンテンツに対応した値であり、かつ、予めユーザにより指定された再生環境を示す値である再生環境設定値が保存される再生プロファイル格納領域と、を有し、
前記再生手段は、
前記再生ファイル格納領域に保存されたマルチメディアコンテンツを再生する場合、前記再生プロファイル格納領域に保存されている前記マルチメディアコンテンツに対応した再生環境設定値に基づいて、前記マルチメディアコンテンツを再生することを特徴とする携帯電話機。
【請求項２】
前記再生環境設定値は、前記再生ファイル格納領域に保存されたマルチメディアコンテンツの再生中に設定され、前記再生プロファイル格納領域に保存されることを特徴とする請求項１に記載の携帯電話機。
【請求項３】
前記再生環境設定値は、更新可能であることを特徴とする請求項１または２に記載の携帯電話機。
【請求項４】
前記再生環境設定値は、参照可能であることを特徴とする請求項１から３の何れかに記載の携帯電話機。
【請求項５】
前記再生ファイル格納領域に保存されるマルチメディアコンテンツは、予め固定のオリジナルデータであることを特徴とする請求項１から４の何れかに記載の携帯電話機。
【請求項６】
前記再生環境設定値は、前記マルチメディアコンテンツを再生する際の、音量、音質、輝度、画質についての設定値であることを特徴とする請求項１から５の何れかに記載の携帯電話機。
【発明の詳細な説明】
【技術分野】
【０００１】
本発明は、多様化するコンテンツ再生への適応性を高めた携帯電話機に関するものである。
【背景技術】
【０００２】
携帯電話機の普及に伴い、動画や音楽等のマルチメディアコンテンツを格納、再生するニーズが高まっている。これに係わる操作を簡便化するために、カウンターにコンテンツの再生箇所を記憶したり（参照；特許文献１）、自身の再生能力に適したコンテンツを選択したり（参照；特許文献２、特許文献３）、コンテンツに適した電子機器を選択したり（参照；特許文献４、特許文献５）、等が提案されている。
【特許文献１】特開２０００−１２２９５５号公報
【特許文献２】特開２００１−２１１４４３号公報
【特許文献３】特開２００１−３０６５８６号公報
【特許文献４】特開２００２−０４９５５６号公報
【特許文献５】特開２００２−０５５９０９号公報
【発明の開示】
【発明が解決しようとする課題】
【０００３】
解決しようとする問題点は、コンテンツの多様化へより適応性を高め、より柔軟に対応可能とすることである。
従来、マルチメディア再生アプリケーションは、音量、音質（イコライザ設定値）、輝度、画質（色空間プロファイル）等の各種設定データを、アプリケーション、すなわち携帯電話機固有としてしか保持することが無かった。このため、各コンテンツ単位でのフレキシブルな設定はできなかった。例えば、特定のコンテンツにのみ適応させたい設定値等は、再生の度に手動のユーザ設定を毎回行うか、コンテンツ自体を改変する必要がある、という問題点がある。
【課題を解決するための手段】
【０００４】
本発明の携帯電話機は、マルチメディアコンテンツを記憶する記憶手段と、マルチメディアコンテンツを再生する再生アプリケーションとを備えた携帯電話機であって、記憶手段は、マルチメディアコンテンツが保存される再生ファイル格納領域と、再生ファイル格納領域に保存されたマルチメディアコンテンツに対応した値であり、かつ、予めユーザにより指定された再生環境を示す値である再生環境設定値が保存される再生プロファイル格納領域と、を有し、再生手段は、再生ファイル格納領域に保存されたマルチメディアコンテンツを再生する場合、再生プロファイル格納領域に保存されているマルチメディアコンテンツに対応した再生環境設定値に基づいて、マルチメディアコンテンツを再生することを特徴とする。
【０００５】
また、本発明の携帯電話機において、再生環境設定値は、再生ファイル格納領域に保存されたマルチメディアコンテンツの再生中に設定され、再生プロファイル格納領域に保存されるようにしていもよい。
【０００６】
また、本発明の携帯電話機において、再生環境設定値は、更新可能であるようにしてもよい。
【０００７】
また、本発明の携帯電話機において、再生環境設定値は、参照可能であるようにしてもよい。
【０００８】
また、本発明の携帯電話機において、再生ファイル格納領域に保存されるマルチメディアコンテンツは、予め固定のオリジナルデータであるようにしてもよい。
【０００９】
また、本発明の携帯電話機において、再生環境設定値は、マルチメディアコンテンツを再生する際の、音量、音質、輝度、画質についての設定値であるようにしてもよい。
【発明の効果】
【００１０】
本発明の携帯電話機は、各コンテンツ単位にてユーザの嗜好する再生環境での自動再生を図ることができる。より詳細には、本発明では、携帯電話等に格納されるマルチメディアコンテンツに対して、予めユーザが指定する音量、音質（イコライザ設定）、輝度等の各種再生環境をプロファイルとして別ファイルに保存する。このことにより、携帯電話機固有ではなく、各コンテンツ単位にてユーザの嗜好する再生環境での自動再生を実現するものである。例えば、録音レベルの一貫しない様々な音源ソースからコレクションしたコンテンツが存在したとしても、それを一度ユーザが好みの設定で再生すれば、その設定値をベースに次回以降は自動補正して再生することが可能となる。
【発明を実施するための最良の形態】
【００１１】
添付図面を参照して本発明による携帯電話機の実施の形態を詳細に説明する。図１から図６を参照すると、本発明の携帯電話機の一実施形態が示されている。
【００１２】
図１において、携帯電話や携帯情報端末等のマルチメディアコンテンツを再生する再生アプリケーション１と、ファイルシステム２と、フラッシュメモリ等のストレージ３と、ＬＣＤ４と、スピーカ５と、Ｋｅｙ６がある。再生アプリケーション１は、デコード手段１１と、画像出力手段１２と、音量音質補正手段１３と、音声出力手段１４とを備えている。
【００１３】
デコード手段１１は、ファイルシステム２により読み出されたマルチメディアコンテンツのデータを復号する。
画像出力手段１２は、デコード手段１１によって復号された映像データを、ＬＣＤ４へ出力する。
音量音質補正手段１３は、再生中にユーザが押下するＫｅｙ６のコードに応じて、デコード手段１１によって復号された音声データに音量、音質設定を付加して、音声出力手段１４へ転送する。
また、音量音質補正手段１３は、ユーザが設定した音量、音質設定値を、ファイルシステム２を経由して、再生プロファイル格納領域３２に保存する。
音声出力手段１４は、音量音質補正手段１３から転送された音声データをスピーカ５に出力する。
【００１４】
ファイルシステム２は、再生アプリケーション１からの要求により、ストレージ３内にある再生ファイル格納領域３１からマルチメディアコンテンツデータを読み出す。また、ファイルシステム２は、再生アプリケーション１からの要求により、ストレージ３内にある再生プロファイル格納領域３２から、ユーザが再生しようとしているマルチメディアコンテンツに該当する再生環境設定値を読み出す。さらに、このファイルシステム２は、再生アプリケーション１からの要求により、ユーザが設定した再生環境を、ストレージ３内にある再生プロファイル格納領域３２に保存する。
【００１５】
ストレージ３は、再生ファイル格納領域３１と、再生プロファイル格納領域３２とを備えている。一方の再生ファイル格納領域３１には、マルチメディアコンテンツのデータが保存されている。また、他方の再生プロファイル格納領域３２には、ユーザが設定した音量、音質等の再生環境の設定値が保存される。
これにより、携帯電話等に格納されるマルチメディアコンテンツに対して、予めユーザが指定する音量、音質等の各種再生環境をプロファイルとして保存する。この結果、携帯電話機固有ではなく、各コンテンツ単位にてユーザの嗜好する再生環境での自動再生を可能にする。
【実施例１】
【００１６】
実施例１の構成例を図１に示す。本図１を参照すると、本実施例１は、携帯電話や携帯情報端末等のマルチメディアコンテンツを再生する再生アプリケーション１と、ファイルシステム２と、フラッシュメモリ等のストレージ３と、ＬＣＤ４と、スピーカ５と、Ｋｅｙ６を有している。
再生アプリケーション１は、デコード手段１１と、画像出力手段１２と、音量音質補正手段１３と、音声出力手段１４とを備えている。
【００１７】
デコード手段１１は、ファイルシステム２により読み出されたマルチメディアコンテンツのデータを復号する。画像出力手段１２は、デコード手段１１によって復号された映像データをＬＣＤ４へ出力する。音量音質補正手段１３は、再生中にユーザが押下するＫｅｙ６のコードに応じて、デコード手段１１によって復号された音声データに音量、音質設定を付加して音声出力手段１４へ転送する。また、音量音質補正手段１３は、ユーザが設定した音量、音質設定値を、ファイルシステム２を経由して、再生プロファイル格納領域３２に保存する。音声出力手段１４は、音量音質補正手段１３から転送された音声データをスピーカ５に出力する。
【００１８】
ファイルシステム２は、再生アプリケーション１からの要求により、ストレージ３内にある再生ファイル格納領域３１からマルチメディアコンテンツデータを読み出す。また、ファイルシステム２は、再生アプリケーション１からの要求により、ストレージ３内にある再生プロファイル格納領域３２から、ユーザが再生しようとしているマルチメディアコンテンツに該当する再生環境設定値を読み出す。さらに、ファイルシステム２は、再生アプリケーション１からの要求により、ユーザが設定した再生環境を、ストレージ３内にある再生プロファイル格納領域３２に保存する。
【００１９】
ストレージ３は、再生ファイル格納領域３１と、再生プロファイル格納領域３２とを備えている。再生ファイル格納領域３１にはマルチメディアコンテンツのデータが保存され、再生プロファイル格納領域３２にはユーザが設定した音量、音質等の再生環境の設定値が保存される。
ＬＣＤ４には、復号された映像データが出力される。スピーカ５には、復号された音声データが出力される。Ｋｅｙ６からは、ユーザが再生環境等の情報がキー押下により、音量音質補正手段に入力される。
【００２０】
次に、図１、図２を参照して本実施例１の動作例について詳細に説明する。図２は、マルチメディアコンテンツを再生する時の処理手順例を示している。
再生アプリケーション１が、ファイルシステム２に対してマルチメディアコンテンツの読み出しを要求する（ステップＡ１）。
ファイルシステム２は、再生ファイル格納領域３１からコンテンツデータを読み出す。ファイルシステム２により読み出されたデータは、デコード手段１１により復号される（ステップＡ２）。
復号された音声データは、音量音質補正手段１３をスルーパスして、音声出力手段１４にてスピーカ５から出力される（ステップＡ３）。
再生途中に、ユーザが音量音質設定変更の為にＫｅｙ６を押下する（ステップＡ４）。
押下されたキーコードに応じて、音量音質補正手段１３により、音量音質の補正が行われる（ステップＡ５）。
【００２１】
当該再生コンテンツファイルに対応する再生プロファイルとして、ステップＡ５にて変更した再生環境設定値を、再生プロファイル格納領域３２に保存する（ステップＡ６）。
再生終了後、当該コンテンツの２回目の再生の為、再生アプリケーション１が、ファイルシステム２に対して該マルチメディアコンテンツの読み出しを要求する（ステップＡ７）。
ファイルシステム２は、再生ファイル格納領域３１からコンテンツデータを読み出す。ファイルシステム２により読み出されたデータは、デコード手段１１により復号される（ステップＡ８）。
【００２２】
当該再生コンテンツファイルに対応する再生環境設定値を、再生プロファイル格納領域３２から読み出す（ステップＡ９）。
再生プロファイル格納領域３２から読み出された再生環境設定値に応じて、音量音質の自動補正が行われる（ステップＡ１０）。
【００２３】
次に、具体例を用いて本実施例１の動作内容を説明する。
例えば、再生プロファイル格納領域３２に格納する再生環境設定値を、図３に示すようなルックアップテーブルとして定義する。このテーブルは、ファイルシステム２から参照および更新可能である。
再生アプリケーション１が、ファイル名が\Audio\File1.mp3であるマルチメディアコンテンツの再生をするものとして、ファイルシステム２に対してマルチメディアコンテンツの読み出しを要求し、デコードを開始する。ここで、合わせて、再生プロファイル格納領域３２に格納されているテーブルも参照されることになり、該ファイルの再生環境設定値、すなわち、音量設定値＝３、音質設定値＝XX1が保存されていることが分かる。このデータに応じて、音量音質補正手段１３により、音量音質の自動補正が行われる。
【００２４】
また、再生アプリケーション１が、ファイル名が\Audio\File4.mp3であるマルチメディアコンテンツの再生をするものとして、ファイルシステム２に対してマルチメディアコンテンツの読み出しを要求し、デコードを開始するとする。この場合は、再生プロファイル格納領域３２に格納されているテーブルも参照しても、該ファイルの再生環境設定値は保存されていないことが分かる。このような場合は、音量音質補正手段１３による音量音質の自動補正は行われない。
【００２５】
例えば、ファイル名が\Audio\File1.mp3であるマルチメディアコンテンツの再生中に、ユーザが、音量音質設定変更の為にＫｅｙ６を押下したとする。この押下されたキーコードに応じて、音量音質補正手段１３により、音量音質の補正が行われることとなる。また同時に、当該再生コンテンツファイルに対応する再生プロファイルとして、再生環境設定値を、再生プロファイル格納領域３２に保存更新する。
【００２６】
本実施例１は、携帯電話等に格納されるマルチメディアコンテンツに対して、予めユーザが指定する音量、音質（イコライザ設定）、輝度等の各種再生環境をプロファイルとして別ファイルに保存することにより、携帯電話機固有ではなく各コンテンツ単位にてユーザの嗜好する再生環境での自動再生を実現するものである。
【００２７】
これにより、例えば、録音レベルの一貫しない様々な音源ソースからコレクションしたコンテンツが存在したとしても、それを一度ユーザが好みの設定で再生すればその設定値をベースに、次回以降は自動補正して再生することが可能となる。
また、本方式では、コンテンツ自体は一切改変せずにオリジナルを保持することが可能である。
【実施例２】
【００２８】
次に、本発明の他の実施例２について図面を参照して詳細に説明する。本実施例２が適用される携帯電話機の構成例を、図４に示す。図４を参照すると、本実施例２の再生アプリケーション１０が、図1に示された実施例１における再生アプリケーション１の構成に加え、輝度画質補正手段１５を有する点で異なる。
輝度画質補正手段１５は、再生中にユーザが押下するＫｅｙ６のコードに応じて、デコード手段１１によって復号された映像データに、輝度画質設定を付加して映像出力手段１２へ転送する。また、この輝度画質補正手段１５は、ユーザが設定した輝度画質設定値を、ファイルシステム２を経由して、再生プロファイル格納領域３２に保存する。
【００２９】
次に、図４、図５を参照して本実施例２の動作について詳細に説明する。図５は、マルチメディアコンテンツを再生する時の処理手順例を示している。
再生アプリケーション１０が、ファイルシステム２に対してマルチメディアコンテンツの読み出しを要求する（ステップＡ１）。
ファイルシステム２は、再生ファイル格納領域３１からコンテンツデータを読み出す。ファイルシステム２により読み出されたデータは、デコード手段１１により復号される（ステップＡ２）。
【００３０】
復号された音声データは、音量音質補正手段１３をスルーパスして、音声出力手段１４にてスピーカ５から出力される（ステップＡ３）。
復号された映像データは、輝度画質補正手段１５をスルーパスして、画像出力手段１２にてＬＣＤ４から出力される（ステップＡ４）。
再生途中に、ユーザが音量音質設定変更の為にＫｅｙ６を押下する（ステップＡ５）。
押下されたキーコードに応じて、音量音質補正手段１３により、音量音質の補正が行われる（ステップＡ６）。
【００３１】
当該再生コンテンツファイルに対応する再生プロファイルとして、ステップＡ５にて変更した再生環境設定値を、再生プロファイル格納領域３２に保存する（ステップＡ７）。
再生途中に、ユーザが輝度画質設定変更の為にＫｅｙ６を押下する（ステップＡ８）。
押下されたキーコードに応じて、輝度画質補正手段１５により、輝度画質の補正が行われる（ステップＡ９）。
【００３２】
当該再生コンテンツファイルに対応する再生プロファイルとして、ステップＡ８にて変更した再生環境設定値を、再生プロファイル格納領域３２に保存する（ステップＡ１０）。
再生終了後、当該コンテンツの２回目の再生の為、再生アプリケーション１０が、ファイルシステム２に対して該マルチメディアコンテンツの読み出しを要求する（ステップＡ１１）。
ファイルシステム２は、再生ファイル格納領域３１からコンテンツデータを読み出す。ファイルシステム２により読み出されたデータは、デコード手段１１により復号される（ステップＡ１２）。
【００３３】
当該再生コンテンツファイルに対応する再生環境設定値を、再生プロファイル格納領域３２から読み出す（ステップＡ１３）。
再生プロファイル格納領域３２から読み出された再生環境設定値に応じて、音量音質の自動補正が行われる（ステップＡ１４）。
再生プロファイル格納領域３２から読み出された再生環境設定値に応じて、輝度画質の自動補正が行われる（ステップＡ１５）。
【００３４】
次に、具体例について説明する。例えば、再生プロファイル格納領域３２に格納する再生環境設定値を、図６に示すようなルックアップテーブルとして定義する。このテーブルは、ファイルシステム２から参照および更新が可能である。
再生アプリケーション１０は、ファイル名が\Video\File1.mp4であるマルチメディアコンテンツの再生をするものとして、ファイルシステム２に対してマルチメディアコンテンツの読み出しを要求し、デコードを開始する。ここで、合わせて、再生プロファイル格納領域３２に格納されているテーブルも参照されることになり、該ファイルの再生環境設定値、すなわち、音量設定値＝３、音質設定値＝XX1、輝度設定値＝１、画質設定値＝YY2が保存されていることが分かる。このデータに応じて、音量音質補正手段１３により音量音質の自動補正が行われ、また、輝度画質補正手段１５により輝度画質の自動補正が行われる。
【００３５】
また、再生アプリケーション１０は、ファイル名が\Video\File4.mp4であるマルチメディアコンテンツの再生をするものとして、ファイルシステム２に対してマルチメディアコンテンツの読み出しを要求し、デコードを開始するとする。この場合は、再生プロファイル格納領域３２に格納されているテーブルを参照しても、該ファイルの再生環境設定値は保存されていないことが分かる。このような場合は、音量音質補正手段１３による音量音質の自動補正、または、輝度画質補正手段１５による輝度画質の自動補正は行われない。
【００３６】
例えば、ファイル名が\Video\File1.mp4であるマルチメディアコンテンツの再生中に、ユーザが、輝度画質設定変更の為にＫｅｙ６を押下したとする。この押下されたキーコードに応じて、輝度画質補正手段１５により、輝度画質の補正が行われることとなる。また、同時に、当該再生コンテンツファイルに対応する再生プロファイルとして、再生環境設定値を、再生プロファイル格納領域３２に保存更新する。この様な機能・作用に基づき、本発明における携帯電話機の有効性は非常に高まる。
【図面の簡単な説明】
【００３７】
【図１】本発明による携帯電話機の一実施形態を示す図である。
【図２】本発明によりマルチメディアコンテンツを再生する処理手順例を示すフロー図である。
【図３】再生環境設定値としてのルックアップテーブルの一例を示す図である。
【図４】本発明による携帯電話機の他の実施形態を示す図である。
【図５】本発明によりマルチメディアコンテンツを再生する処理手順例を示すフロー図である。
【図６】再生環境設定値としてのルックアップテーブルの他の例を示す図である。
【符号の説明】
【００３８】
１    再生アプリケーション
２    ファイルシステム
３    ストレージ
４    ＬＣＤ
５    スピーカ
６    Ｋｅｙ
１０    再生アプリケーション
１１    デコード手段
１２    画像出力手段
１３    音量音質補正手段
１４    音声出力手段
１５    輝度画質補正手段
３１    再生ファイル格納領域
３２    再生プロファイル格納領域
【図１】
0004172362.tif 000002
【図２】
0004172362.tif 000003
【図３】
0004172362.tif 000004
【図４】
0004172362.tif 000005
【図５】
0004172362.tif 000006
【図６】
0004172362.tif 000007